(57)【特許請求の範囲】
【請求項１】
室外機と室内機とを具備する空調システムの制御装置であって、
一定時間内に開始と停止とを繰り返すインチング運転が圧縮機に発生しているか否かを判定する判定手段と、
前記判定手段によって前記インチング運転が発生していないと判定された場合に、サーモオフによる前記圧縮機の停止後に、冷媒の運転圧力が予め定められた目標圧力となるように前記圧縮機の回転数を制御する圧力一定制御である通常制御における第１の時間内において前記圧縮機の再起動を禁止する第１再起動禁止手段と、
前記判定手段によって前記インチング運転が発生していると判定された場合に、サーモオフによる前記圧縮機の停止後に、前記第１の時間よりも長い第２の時間内において前記圧縮機の再起動を禁止する第２再起動禁止手段と、
前記判定手段によって前記インチング運転が発生していると判定され、かつ、前記室内機の設定温度と室温との差が所定値以内の場合に、次回の前記圧縮機の起動において、前記圧縮機の能力を抑制する能力抑制手段と、
前記第２再起動禁止手段によって前記圧縮機の再起動が禁止されている場合において、前記室内機の設定温度と前記室温との差が前記所定値を超えた場合に、前記圧縮機を前記通常制御により再起動させる通常制御手段と
を備える空調システムの制御装置。
【請求項２】
前記能力抑制手段は、前記圧縮機の回転数が前記インチング運転の発生時よりも低下するように、冷媒の目標圧力を調整する請求項１記載の空調システムの制御装置。
【請求項３】
前記能力抑制手段は、前記圧縮機の上限回転数を前記インチング運転の発生時よりも低下させる請求項１記載の空調システムの制御装置。
【請求項４】
室外機と、
室内機と、
請求項１から請求項３の何れか１項記載の制御装置と、
を備える空調システム。
【請求項５】
室外機と室内機とを具備する空調システムの制御プログラムであって、
コンピュータを、
一定時間内に開始と停止とを繰り返すインチング運転が圧縮機に発生しているか否かを判定する判定手段と、
前記判定手段によって前記インチング運転が発生していないと判定された場合に、サーモオフによる前記圧縮機の停止後に、冷媒の運転圧力が予め定められた目標圧力となるように前記圧縮機の回転数を制御する圧力一定制御である通常制御における第１の時間内において前記圧縮機の再起動を禁止する第１再起動禁止手段と、
前記判定手段によって前記インチング運転が発生していると判定された場合に、サーモオフによる前記圧縮機の停止後に、前記第１の時間よりも長い第２の時間内において前記圧縮機の再起動を禁止する第２再起動禁止手段と、
前記判定手段によって前記インチング運転が発生していると判定され、かつ、前記室内機の設定温度と室温との差が所定値以内の場合に、次回の前記圧縮機の起動において、前記圧縮機の能力を抑制する能力抑制手段と、
前記第２再起動禁止手段によって前記圧縮機の再起動が禁止されている場合において、前記室内機の設定温度と前記室温との差が前記所定値を超えた場合に、前記圧縮機を前記通常制御により再起動させる通常制御手段として機能させるための空調システムの制御プログラム。
【請求項６】
室外機と室内機とを具備する空調システムの制御方法であって、
一定時間内に開始と停止とを繰り返すインチング運転が圧縮機に発生しているか否かを判定する第１工程と、
前記第１工程によって前記インチング運転が発生していないと判定された場合に、サーモオフによる前記圧縮機の停止後に、冷媒の運転圧力が予め定められた目標圧力となるように前記圧縮機の回転数を制御する圧力一定制御である通常制御における第１の時間内において前記圧縮機の再起動を禁止する第１再起動禁止工程と、
前記第１工程によって前記インチング運転が発生していると判定された場合に、サーモオフによる前記圧縮機の停止後に、前記第１の時間よりも長い第２の時間内において前記圧縮機の再起動を禁止する第２再起動禁止工程と、
前記第１工程によって前記インチング運転が発生していると判定され、かつ、前記室内機の設定温度と室温との差が所定値以内の場合に、次回の前記圧縮機の起動において、前記圧縮機の能力を抑制する第２工程と、
前記第２再起動禁止工程によって前記圧縮機の再起動が禁止されている場合において、前記室内機の設定温度と前記室温との差が前記所定値を超えた場合に、前記圧縮機を前記通常制御により再起動させる通常制御工程と、
を有する空調システムの制御方法。
【発明の詳細な説明】
【技術分野】
【０００１】
本発明は、空調システムの制御装置、空調システム、空調システムの制御プログラム、及び空調システムの制御方法に関するものである。
【背景技術】
【０００２】
一般に、１台の室外機に対して複数台の室内機を備える空調システムにおいて運転が行われる場合に、各室内機の運転を停止する設定温度（サーモＯＦＦ）及び室内機の運転を開始する設定温度（サーモＯＮ）が設定されている。
この室内機のサーモＯＮ及びサーモＯＦＦは、設定温度と室内吸込み温度とに基づいて判定される。すなわち、室内吸込み温度が設定温度に達した場合にサーモＯＦＦとなり室内機の運転が停止され、室内吸込み温度が設定温度からずれた場合に、サーモＯＮとなり室内機の運転が開始される（特許文献１参照）。そして、全室内機がサーモＯＦＦとなると圧縮機も停止するが、室内機がサーモＯＮとなると圧縮機は再起動する。
【０００３】
ここで、室内機の能力選定は、室内機の設置場所の負荷を推定し、これに応じて行われる。しかしながら、設置場所の実際の負荷に対して室内機の能力が大きい場合もあり、サーモＯＮにより運転が開始した後、短時間で室内吸込み温度が設定温度に到達してサーモＯＦＦとなり、室内機がサーモＯＮとサーモＯＦＦを短時間に繰り返す場合もある。
【０００４】
また、室内機の能力と負荷とのバランスは適正であるものの、室内機の吹出し口と壁との距離が近すぎ、壁に反射した空調風の温度を室内吸込み温度と誤検知する等、様々な原因で室内機の吹出し空気が室内機の吸込み空気として吸い込まれる（所謂、ショートサーキット）等、室内機の設置環境の不備を原因として、室内機がサーモＯＮとサーモＯＦＦを繰り返す場合もある。
【先行技術文献】
【特許文献】
【０００５】
【特許文献１】特開２０１２−１９３９０１号公報
【発明の概要】
【発明が解決しようとする課題】
【０００６】
上述のように、室内機がサーモＯＮとサーモＯＦＦを繰り返すと、圧縮機は短時間で開始と停止とを繰り返す運転（以下「インチング運転」という。）に陥る可能性がある。このようなインチング運転は、圧縮機や各種電装品等に損傷を与える可能性があるので、空調システムそのものの信頼性向上の観点から抑制することが好ましい。
【０００７】
本発明は、このような事情に鑑みてなされたものであって、圧縮機のインチング運転を抑制してより信頼性の高い空調システムの運転を可能とする空調システムの制御装置、空調システム、空調システムの制御プログラム、及び空調システムの制御方法を提供することを目的とする。
【課題を解決するための手段】
【０００８】
上記課題を解決するために、本発明の空調システムの制御装置、空調システム、空調システムの制御プログラム、及び空調システムの制御方法は以下の手段を採用する。
【０００９】
本発明の第一態様に係る空調システムの制御装置は、室外機と室内機とを具備する空調システムの制御装置であって、一定時間内に開始と停止とを繰り返すインチング運転が圧縮機に発生しているか否かを判定する判定手段と、前記判定手段によって前記インチング運転が発生していないと判定された場合に、サーモオフによる前記圧縮機の停止後に、冷媒の運転圧力が予め定められた目標圧力となるように前記圧縮機の回転数を制御する圧力一定制御である通常制御における第１の時間内において前記圧縮機の再起動を禁止する第１再起動禁止手段と、前記判定手段によって前記インチング運転が発生していると判定された場合に、サーモオフによる前記圧縮機の停止後に、前記第１の時間よりも長い第２の時間内において前記圧縮機の再起動を禁止する第２再起動禁止手段と、前記判定手段によって前記インチング運転が発生していると判定され、かつ、前記室内機の設定温度と室温との差が所定値以内の場合に、次回の前記圧縮機の起動において、前記圧縮機の能力を抑制する能力抑制手段と、前記第２再起動禁止手段によって前記圧縮機の再起動が禁止されている場合において、前記室内機の設定温度と前記室温との差が前記所定値を超えた場合に、前記圧縮機を前記通常制御により再起動させる通常制御手段とを備える。
【００１０】
本構成によれば、一定時間内に開始と停止とを繰り返すインチング運転が圧縮機に発生しているか否かが判定手段によって判定される。
そして、圧縮機にインチング運転が発生していると判定された場合に、圧縮機の能力が能力抑制手段によって抑制される。すなわち、圧縮機のインチング運転の発生原因が主に能力過多であること等に鑑みると、インチング運転となった場合に圧縮機の能力を抑制することでインチング運転の発生を抑制できる。すなわち、本構成は、従来であれば省エネルギーのために行っていた制御を、敢えて圧縮機のインチング運転抑制を目的として行っている。
【００１１】
従って、本構成は、圧縮機のインチング運転を抑制してより信頼性の高い空調システムの運転を可能とする。
また本構成によれば、圧縮機にインチング運転が発生した場合、再起動禁止手段によって所定時間内において圧縮機の再起動が禁止される。そして、室内機の設定温度と室温との差が所定値以内の場合に、圧縮機のインチング運転の発生を抑制するために空調システムの能力を抑制する。なお、室内機の設定温度と室温との差が所定値を超える場合には、圧縮機の能力を抑制しない通常制御が行われる。
従って、本構成は、利用者に空調感を損なわせることなく、圧縮機のインチング運転をより確実に抑制できる。
【００１２】
上記第一態様では、前記能力抑制手段が、前記圧縮機の回転数が前記インチング運転の発生時よりも低下するように、冷媒の目標圧力を調整してもよい。
【００１３】
本構成によれば、目標圧力を調整することによって、簡易に圧縮機の能力を抑制できる。
【００１４】
上記第一態様では、前記能力抑制手段は、前記圧縮機の上限回転数を前記インチング運転の発生時よりも低下させてもよい。
【００１５】
本構成によれば、圧縮機の上限回転数の設定値を低下させることによって、簡易に圧縮機の能力を抑制できる。
【００１８】
本発明の第二態様に係る空調システムは、室外機と、室内機と、上記記載の制御装置と、を備える。
【００１９】
本発明の第三態様に係る空調システムの制御プログラムは、室外機と室内機とを具備する空調システムの制御プログラムであって、コンピュータを、一定時間内に開始と停止とを繰り返すインチング運転が圧縮機に発生しているか否かを判定する判定手段と、前記判定手段によって前記インチング運転が発生していないと判定された場合に、サーモオフによる前記圧縮機の停止後に、冷媒の運転圧力が予め定められた目標圧力となるように前記圧縮機の回転数を制御する圧力一定制御である通常制御における第１の時間内において前記圧縮機の再起動を禁止する第１再起動禁止手段と、前記判定手段によって前記インチング運転が発生していると判定された場合に、サーモオフによる前記圧縮機の停止後に、前記第１の時間よりも長い第２の時間内において前記圧縮機の再起動を禁止する第２再起動禁止手段と、前記判定手段によって前記インチング運転が発生していると判定され、かつ、前記室内機の設定温度と室温との差が所定値以内の場合に、次回の前記圧縮機の起動において、前記圧縮機の能力を抑制する能力抑制手段と、前記第２再起動禁止手段によって前記圧縮機の再起動が禁止されている場合において、前記室内機の設定温度と前記室温との差が前記所定値を超えた場合に、前記圧縮機を前記通常制御により再起動させる通常制御手段として機能させる。
【００２０】
本発明の第四態様に係る空調システムの制御方法は、室外機と室内機とを具備する空調システムの制御方法であって、一定時間内に開始と停止とを繰り返すインチング運転が圧縮機に発生しているか否かを判定する第１工程と、前記第１工程によって前記インチング運転が発生していないと判定された場合に、サーモオフによる前記圧縮機の停止後に、冷媒の運転圧力が予め定められた目標圧力となるように前記圧縮機の回転数を制御する圧力一定制御である通常制御における第１の時間内において前記圧縮機の再起動を禁止する第１再起動禁止工程と、前記第１工程によって前記インチング運転が発生していると判定された場合に、サーモオフによる前記圧縮機の停止後に、前記第１の時間よりも長い第２の時間内において前記圧縮機の再起動を禁止する第２再起動禁止工程と、前記第１工程によって前記インチング運転が発生していると判定され、かつ、前記室内機の設定温度と室温との差が所定値以内の場合に、次回の前記圧縮機の起動において、前記圧縮機の能力を抑制する第２工程と、前記第２再起動禁止工程によって前記圧縮機の再起動が禁止されている場合において、前記室内機の設定温度と前記室温との差が前記所定値を超えた場合に、前記圧縮機を前記通常制御により再起動させる通常制御工程と、を有する。
【発明の効果】
【００２１】
本発明によれば、圧縮機のインチング運転を抑制してより信頼性の高い空調システムの運転を可能とする、という優れた効果を有する。
【図面の簡単な説明】
【００２２】
【図１】本発明の第１実施形態に係るマルチ形空調システムの冷媒回路図である。
【図２】本発明の第１実施形態に係る空調機制御装置の電気的構成を示すブロック図である。
【図３】本発明の第１実施形態に係るインチング運転対策処理の流れを示すフローチャートである。
【図４】本発明の第２実施形態に係る空調機制御装置の電気的構成を示すブロック図である。
【図５】本発明の第２実施形態に係るインチング運転対策処理の流れを示すフローチャートである。
【発明を実施するための形態】
【００２３】
以下に、本発明に係る空調システムの制御装置、空調システム、空調システムの制御プログラム、及び空調システムの制御方法の一実施形態について、図面を参照して説明する。
【００２４】
〔第１実施形態〕
以下、本発明の第１実施形態について説明する。
【００２５】
図１は、本発明の第１実施形態に係る１台の室外機に複数台の室内機が接続されるマルチ形空調システムの冷媒回路図が示されている。
マルチ形空調システム１は、１台の室外機２に、複数台の室内機３Ａ，３Ｂが並列に接続されたものである。複数台の室内機３Ａ，３Ｂは、室外機２に接続されているガス側配管４と液側配管５との間に分岐器６を介して互いに並列に接続されている。
【００２６】
室外機２は、冷媒を圧縮するインバータ駆動の圧縮機１０と、冷媒の循環方向を切換える四方切換弁１２と、冷媒と外気とを熱交換させる室外熱交換器１３と、室外熱交換器１３と一体的に構成されている過冷却コイル１４と、室外膨張弁（ＥＥＶＨ）１５と、液冷媒を貯留するレシーバ１６と、液冷媒に過冷却を与える過冷却熱交換器１７と、過冷却熱交換器１７に分流される冷媒量を制御する過冷却用膨張弁（ＥＥＶＳＣ）１８と、圧縮機１０に吸入される冷媒ガスから液分を分離し、ガス分のみを圧縮機１０側に吸入させるアキュームレータ１９と、ガス側操作弁２０と、液側操作弁２１とを備えている。
【００２７】
室外機２側の上記各機器は、冷媒配管２２を介して順次接続され、公知の室外側冷媒回路２３を構成している。また、室外機２には、室外熱交換器１３に対して外気を送風する室外ファン２４が設けられている。
【００２８】
ガス側配管４及び液側配管５は、室外機２のガス側操作弁２０及び液側操作弁２１に接続される冷媒配管であり、現場での据え付け施工時に、室外機２とそれに接続される複数台の室内機３Ａ，３Ｂとの間の距離に応じて、その配管長が適宜設定されるようになっている。ガス側配管４及び液側配管５の途中には、複数の分岐器６が設けられ、該分岐器６を介して適宜台数の室内機３Ａ，３Ｂが接続されている。これによって、密閉された１系統の冷凍サイクル（冷媒回路）７が構成されている。
【００２９】
室内機３Ａ，３Ｂは、室内空気を冷媒と熱交換させて冷却又は加熱し、室内の空調に供する室内熱交換器３０と、室内膨張弁（ＥＥＶＣ）３１と、室内熱交換器３０を介して室内空気を循環させる室内ファン３２と、室内コントローラ３３とを備えており、室内側の分岐ガス側配管４Ａ，４Ｂ及び分岐液側配管５Ａ，５Ｂを介して分岐器６に接続されている。
【００３０】
上記のマルチ形空調システム１において、冷房運転は、以下のように行われる。
圧縮機１０で圧縮され、吐出された高温高圧の冷媒ガスは、四方切換弁１２により室外熱交換器１３側に循環され、室外熱交換器１３で室外ファン２４により送風される外気と熱交換されて凝縮液化される。この液冷媒は、過冷却コイル１４で更に冷却された後、室外膨張弁１５を通過し、レシーバ１６内にいったん貯留される。
【００３１】
レシーバ１６で循環量が調整された液冷媒は、過冷却熱交換器１７を経て液冷媒配管側を流通される過程で、液冷媒配管から一部分流され、過冷却用膨張弁１８で断熱膨張された冷媒と熱交換されて過冷却度が付与される。この液冷媒は、液側操作弁２１を経て室外機２から液側配管５へと導かれ、分岐器６を介して各室内機３Ａ，３Ｂの分岐液側配管５Ａ，５Ｂへと分流される。
【００３２】
分岐液側配管５Ａ，５Ｂに分流された液冷媒は、各室内機３Ａ，３Ｂに流入し、室内膨張弁３１で断熱膨張され、気液二相流となって室内熱交換器３０に流入される。室内熱交換器３０では、室内ファン３２により循環される室内空気と冷媒とが熱交換され、室内空気は冷却されて室内の冷房に供される。一方、冷媒はガス化され、分岐ガス側配管４Ａ，４Ｂを経て分岐器６に至り、他の室内機からの冷媒ガスとガス側配管４で合流される。
【００３３】
ガス側配管４で合流された冷媒ガスは、再び室外機２に戻り、ガス側操作弁２０、四方切換弁１２を経て、過冷却熱交換器１７からの冷媒ガスと合流された後、アキュームレータ１９に導入される。アキュームレータ１９では、冷媒ガス中に含まれている液分が分離され、ガス分のみが圧縮機１０に吸入される。この冷媒は、圧縮機１０において再び圧縮され、以上のサイクルを繰り返すことによって冷房運転が行われる。
【００３４】
一方、暖房運転は、以下のように行われる。
圧縮機１０により圧縮され、吐出された高温高圧の冷媒ガスは、四方切換弁１２を介してガス側操作弁２０側に循環される。この高圧ガス冷媒は、ガス側操作弁２０、ガス側配管４を経て室外機２から導出され、分岐器６、室内側の分岐ガス側配管４Ａ，４Ｂを経て複数台の室内機３Ａ，３Ｂに導入される。
【００３５】
室内機３Ａ，３Ｂに導入された高温高圧の冷媒ガスは、室内熱交換器３０で室内ファン３２を介して循環される室内空気と熱交換され、これにより加熱された室内空気は室内に吹出されて暖房に供される。一方、室内熱交換器３０で凝縮液化された冷媒は、室内膨張弁３１、分岐液側配管５Ａ，５Ｂを経て分岐器６に至り、他の室内機からの冷媒と合流され、液側配管５を経て室外機２に戻る。なお、暖房時、室内機３Ａ，３Ｂでは、凝縮器として機能する室内熱交換器３０の冷媒出口温度又は冷媒過冷却度が制御目標値となるように、室内膨張弁３１の開度が室内コントローラ３３を介して制御される。
【００３６】
室外機２に戻った冷媒は、液側操作弁２１を経て過冷却熱交換器１７に至り、冷房時の場合と同様に過冷却が付与された後、レシーバ１６に流入され、いったん貯留されることにより循環量が調整される。この液冷媒は、室外膨張弁１５に供給されて断熱膨張された後、過冷却コイル１４を経て室外熱交換器１３に流入される。
【００３７】
室外熱交換器１３では、室外ファン２４から送風される外気と冷媒とが熱交換され、冷媒は外気から吸熱して蒸発ガス化される。この冷媒は、室外熱交換器１３から四方切換弁１２を経て、過冷却熱交換器１７からの冷媒ガスと合流された後、アキュームレータ１９に導入される。アキュームレータ１９では、冷媒ガス中に含まれている液分が分離されてガス分のみが圧縮機１０に吸入され、圧縮機１０において再び圧縮される。以上のサイクルを繰り返すことによって暖房運転が行われる。
【００３８】
図２は、本第１実施形態に係るマルチ形空調システム１の制御を司る空調機制御装置４０の電気的構成を示すブロック図である。図２では、本第１実施形態に係るインチング運転対策に関する機能を示す。
空調機制御装置４０は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。また、空調機制御装置４０は、室外機２に備えられている。
【００３９】
空調機制御装置４０は、インチング運転判定部４２及び圧力制御部４４を備える。
【００４０】
インチング運転判定部４２は、一定時間内に開始と停止とを繰り返すインチング運転が圧縮機１０に発生しているか否かを判定する。
インチング運転が発生していると判定される場合は、例えば１時間に５回以上のサーモＯＦＦによる圧縮機１０の停止が発生した場合である。なお、マルチ型空調システム１は、一例として、接続されている複数の室内機３が全てサーモＯＦＦとなった場合に圧縮機１０が停止し、一台でもサーモＯＮとなると圧縮機１０が再起動する。
【００４１】
圧力制御部４４は、圧縮機１０の能力を抑制する省エネ制御を行う。
【００４２】
圧力制御部４４は、室内負荷に関わらず冷媒の運転圧力を一定とする圧力一定制御を行う。圧力一定制御は、冷媒の運転圧力が予め定められた目標圧力となるように、圧縮機１０の回転数を制御する。
より詳細には、圧力一定制御は、圧縮機１０の初期回転数が決定されると、機種容量や回転数（運転周波数）等により目標圧力を設定すると共に、冷房時には、圧力センサにより吸入圧（低圧）、暖房時には、圧力センサにより吐出圧（高圧）をそれぞれ圧力検出値として検出する。そして、圧力一定制御は、この目標圧力と圧力検出値とを比較し、圧縮機１０の回転数を制御する。具体的には、圧力一定制御は冷房時において、目標圧力＞圧力検出値の場合、圧縮機１０の回転数を低下させ、目標圧力＜圧力検出値の場合、圧縮機１０の回転数を上昇させる。一方、圧力一定制御は暖房時において、目標圧力＞圧力検出値の場合、圧縮機１０の回転数を上昇させ、目標圧力＜圧力検出値の場合、圧縮機１０の回転数を下降させる。そして、目標圧力＝圧力検出値の場合に、圧縮機１０の回転数は一定とされることで、冷房時には吸入圧が一定、暖房時には吐出圧が一定となる。
そして、圧力制御部４４は、省エネ制御のために上記目標圧力を調整することによって、圧縮機１０の能力を抑制する能力抑制手段として機能する。
【００４３】
次に、本第１実施形態に係る空調機制御装置４０によって実行されるインチング対策制御について詳細に説明する。
【００４４】
インチング運転判定部４２によって圧縮機１０にインチング運転が発生していると判定された場合に、圧力制御部４４が省エネ制御を行うことで圧縮機１０の能力が抑制される。すなわち、圧縮機１０のインチング運転の発生原因が主に能力過多であること等に鑑みると、インチング運転となった場合に圧縮機１０の能力を抑制することでインチング運転の発生を抑制できる。
このように、本第１実施形態に係る空調機制御装置４０は、従来であれば消費電力の削減のために行っていた省エネ制御を、敢えて圧縮機１０のインチング運転抑制を目的として行っている。
【００４５】
図３は、本第１実施形態に係るインチング対策制御を行う場合に、空調機制御装置４０によって実行される処理（以下「インチング対策処理」という。）の流れを示すフローチャートであり、本処理を実行するためのプログラムは空調機制御装置４０に備えられる記憶手段の所定領域に予め記憶されている。
【００４６】
まず、ステップ１００では、一定時間に複数回のサーモＯＦＦにより圧縮機１０が停止したか否かを判定し、肯定判定の場合はステップ１０２へ移行する一方、否定判定の場合は通常制御（圧力一定制御）を継続する。なお、ステップ１０２へ移行する場合、圧縮機１０は停止している。
【００４７】
次のステップ１０２では、次回の圧縮機１０の起動において、圧縮機１０を省エネ制御で運転するように設定する。
【００４８】
次のステップ１０４では、省エネ制御のために目標圧力の調整を行う。具体的には、冷房時では、それまでの目標圧力（目標低圧）を上げる。一方、暖房時では、それまでの目標圧力（目標高圧）を下げる。目標圧力の調整量は、例えば、予め定められた値で調整される。
この目標圧力の調整によって、圧縮機１０の上限回転数が低下することとなり、圧縮機１０の能力抑制となる。
【００４９】
次のステップ１０６では、室内機３がサーモＯＮとなったか否かを判定し、肯定判定の場合はステップ１０８へ移行する一方、否定判定の場合は圧縮機１０は停止状態のままとなる。
【００５０】
ステップ１０８では、ステップ１０４で調整した目標圧力となるように、圧縮機１０を再起動する。
【００５１】
次のステップ１１０では、室内機３の設定温度と室温（室内吸込み温度）との差が所定値（例えば４℃）を超えたか否かを判定し、肯定判定の場合はステップ１１２へ移行する一方、否定判定の場合は圧縮機１０の省エネ制御を継続させる。
【００５２】
ステップ１１２では、省エネ制御による抑制された圧縮機１０の能力に対して室内負荷が過大であり不冷又は不暖となる可能性があるため、省エネ制御を停止して通常制御（圧縮機１０の能力を抑制しない制御）に戻し、ステップ１００へ戻る。これにより、利用者の空調感を損ねることを防止できる。
【００５３】
以上説明したように、本第１実施形態に係る空調機制御装置４０は、一定時間内に開始と停止とを繰り返すインチング運転が圧縮機１０に発生しているか否かを判定し、インチング運転が発生していると判定した場合に、圧縮機１０の能力を抑制する。
従って、空調機制御装置４０は、圧縮機１０のインチング運転を抑制してより信頼性の高いマルチ形空調システム１の運転を可能とする。
【００５４】
〔第２実施形態〕
以下、本発明の第２実施形態について説明する。
【００５５】
なお、本第２実施形態に係るマルチ形空調システム１の構成は、図１に示す第１実施形態に係るマルチ形空調システム１の構成と同様であるので説明を省略する。
【００５６】
図４は、本第２実施形態に係る空調機制御装置４０の構成を示す。なお、図４における図２と同一の構成部分については図２と同一の符号を付して、その説明を省略する。
【００５７】
本第２実施形態に係る空調機制御装置４０は、再起動禁止部４６を備える。
再起動禁止部４６は、インチング運転判定部４２によってインチング運転が発生していると判定された場合に、所定時間内において圧縮機１０の再起動を禁止する。
【００５８】
この再起動禁止は、一例として、第１禁止パターン及び第２禁止パターンが設けられている。
第１禁止パターンは、サーモＯＦＦによる圧縮機１０の停止後に、通常より長い時間（例えば通常３分に対して１０分）、圧縮機１０の再起動を禁止するものである。
第２禁止パターンは、サーモＯＮによる圧縮機１０の時間当たりの再起動回数（例えば１時間当たり４回まで）を制限するものである。
【００５９】
図５は、本第２実施形態に係るインチング対策処理の流れを示すフローチャートである。なお、図５における図３と同一のステップについては図３と同一の符号を付して、その説明を一部又は全部省略する。
【００６０】
まず、ステップ１００では、一定時間に複数回のサーモＯＦＦにより圧縮機１０が停止したか否かを判定し、肯定判定の場合はステップ２００へ移行する一方、否定判定の場合は通常制御（圧力一定制御）を継続する。
【００６１】
ステップ２００では、圧縮機１０の再起動を禁止する設定を行う。
なお、再起動の禁止は、上述した第１禁止パターン及び第２禁止パターンの何れか、又はこれらの組み合わせによって行ってもよい。
【００６２】
次のステップ２０２では、再起動が禁止されている時間内において、室内機３の設定温度と室温（室内吸込み温度）との差が所定値（例えば４℃）以内であるか否かを判定し、肯定判定の場合はステップ１０２へ移行し、次回の圧縮機１０の起動において、圧縮機１０を省エネ制御で運転するように設定する。
一方、ステップ２０２において否定判定の場合は、ステップ１１２へ移行し、再起動が禁止されている時間であっても、圧縮機１０を通常制御により再起動させ、室内機３の運転を再開させる。
【００６３】
このように、本第２実施形態に係る空調機制御装置４０は、圧縮機１０にインチング運転が発生した場合、所定時間内において圧縮機１０の再起動が禁止される。そして、この所定時間の経過後、室内機３の設定温度と室温との差が所定値以内の場合に、インチング運転の発生を抑制するために空調システムの能力を抑制する。一方、室内機３の設定温度と室温との差が所定値を超える場合には、通常制御が行われる。
従って、本第２実施形態に係る空調機制御装置４０は、利用者に空調感を損なわせることなく、圧縮機１０のインチング運転をより確実に抑制できる。
【００６４】
以上、本発明を、上記各実施形態を用いて説明したが、本発明の技術的範囲は上記各実施形態に記載の範囲には限定されない。発明の要旨を逸脱しない範囲で上記各実施形態に多様な変更又は改良を加えることができ、該変更又は改良を加えた形態も本発明の技術的範囲に含まれる。また、上記各実施形態を適宜組み合わせてもよい。
【００６５】
例えば、上記各実施形態では、省エネ制御として、目標圧力を調整することによって、圧縮機１０の能力を抑制する形態について説明したが、本発明は、これに限定されるものではなく、圧縮機１０の能力を抑制できれば省エネ制御を他の形態としてもよい。
【００６６】
例えば、他の省エネ制御として、圧縮機１０の上限回転数をインチング運転の発生時よりも低下させる制御が行われてもよい。
この省エネ制御では、圧縮機１０の上限回転数の設定値（以下「上限回転数設定値」という。）が室内機３の運転容量に応じて予め記憶手段（不図示）に記憶されている。なお、室内機３運転容量は、運転する室内機３の台数が増加すると増加する。
そして、この省エネ制御では、室内機３の運転容量に応じた上限回転数設定値を上限値として圧縮機１０の回転数制御を行う。
【００６７】
この省エネ制御により、室内機３の運転容量に応じて圧縮機１０の回転数が制限される。従って、室内機３の運転容量が低い場合に、圧縮機１０の回転数が過大に上昇することが抑制され、電力を削減する運転が行われることとなる。
そして、圧縮機１０にインチング運転が発生していると判定された場合に、この省エネ制御が行われることにより、圧縮機１０の上限回転数がインチング運転の発生時よりも低下するので、圧縮機１０の能力が抑制される。これにより、圧縮機１０のインチング運転がより確実に抑制される。
【００６８】
また、上記各実施形態で説明したインチング対策処理の流れも一例であり、本発明の主旨を逸脱しない範囲内において不要なステップを削除したり、新たなステップを追加したり、処理順序を入れ替えたりしてもよい。
【符号の説明】
【００６９】
１    マルチ形空調システム
２    室外機
３Ａ，３Ｂ  室内機
１０    圧縮機
４０    空調機制御装置
４２    インチング運転判定部
４４    圧力制御部
４６    再起動禁止部
【図１】
0006628972.tif 000002
【図２】
0006628972.tif 000003
【図３】
0006628972.tif 000004
【図４】
0006628972.tif 000005
【図５】
0006628972.tif 000006